(57)【特許請求の範囲】
【請求項１】
インライン方式の陰極線管のネック部外周に取付けられる速度変調用コイルとコンバージェンスマグネットとから成る画質調整装置であって、
前記陰極線管のネック部外周に取り付けられる円筒部と、
この円筒部に取り付けられた速度変調用コイルと、
前記円筒部の外周に取り付けられたコンバージェンスマグネットと、
前記陰極線管のネック部の後端部に設けられ、前記陰極線管を駆動するための回路及び前記速度変調用コイルに補助偏向電流を供給するための回路が形成された回路基板と、
前記コンバージェンスマグネットが取付けられた位置よりも前記回路基板に近い前記ネック部の後端部側の位置に設けられ、前記速度変調用コイルが前記速度変調用コイルに補助偏向電流を供給するための回路に接続される端子部とを備え、
前記陰極線管のネック部の後端部に、前記陰極線管を駆動する回路及び前記速度変調用コイルに補助偏向電流を供給するための回路を形成した回路基板が取り付けられ、前記回路基板と前記端子部とがリード線で接続され、前記速度変調用コイルに補助偏向電流を供給するための回路から前記速度変調用コイルに補助偏向電流を供給するための前記リード線の長さを短くできるようにしたこと特徴とする画質補償装置。
【発明の詳細な説明】
【０００１】
【発明の属する技術分野】
本発明は、カラーテレビジョン受像機、特にインライン方式の陰極線管に用いられるスタティックコンバージェンス装置に速度変調コイルを組み合わせた画質補償装置に関する。
【０００２】
【従来の技術】
インライン方式の陰極線管の電子ビームの位置補正を行うスタティックコンバージェンス装置は、特公昭５６−１３０６６号公報、実公昭５８−２３１７１号公報で公知のように電子ビームの水平走査速度を映像の輝度変化部分で変調して映像の輪郭を明瞭にするように映像信号の一次微分波形の補助偏向電流を流す速度変調コイルを組み合わせて画質補償装置を構成することが一般に行われている。
【０００３】
このような一体構造の従来の画質補償装置の一例を図５、図６に示す。
図５は第１の従来例（以下従来例１という）であり、（ａ）は速度変調コイルを取り付けたホルダの正面図、（ｂ）はその側面図である。また、図６は第２の従来例（以下、従来例２という）であり、（ａ）は速度変調コイルを取り付けた正面図、（ｂ）はその側面図である。ただし、コンバージェンスマグネットは省略してある。
【０００４】
図５を参照して画質補償装置について説明する。
なお、便宜上紙面上方を上部、下方を下部として記載するが、特に絶対的な位置関係を指定している訳ではない。
図５に示した画質補償装置は、円筒部１０と、この円筒部の端部に円筒部の外周を取り囲むように設けられた端子取付部１２とから成るホルダを備え、円筒部１０には２個のコイルすなわち下側コイル１６と上側コイル１８とを巻き付ける巻き付け部が設けられている。
【０００５】
一本の絶縁皮膜導線１７をホルダ１４の巻き付け部に巻き付け、まず下側、続いて上側にコイルを形成し、速度変調コイルを構成している。このコイルの先端を金属端子２０、２２に半田付けし、電気回路（図示せず）との接続を行う構成となっている。
【０００６】
図６は他の例である。
図６の画質補償装置は、図５と同様に円筒部４２と、この円筒部４２の端部に円筒部４２の上下に設けられた端子取付部４４とから成るホルダを備え、円筒部４２には２個のコイルすなわち下側コイル６０と上側コイル６２とを巻き付ける巻き付け部５４、５６が設けられている。
【０００７】
一本の絶縁皮膜導線６２をホルダ４０の巻き付け部５４、５６に巻き付け、まず下側、続いて上側にコイルを形成し、速度変調コイルを構成している。このコイルの先端を金属端子４６、４８に半田付けし、電気回路（図示せず）との接続を行う構成となっている。
図５とは異なり、端子取付板４４の部分が端部ではなく、円筒部４２の外周に設けられている。
【０００８】
速度変調コイル１６、１８および６０、６２が取り付けられた図５、６の円筒部（１０および４２）および円筒部のマグネットアッセンブリには例えば２極、４極、６極のそれぞれ２枚一組のコンバージェンスマグネット（図示せず）が共回り防止のリング（図示せず）を介挿され、嵌合され、画質補償装置が構成される。
【０００９】
いずれの例でも、円筒部側面にて交叉する部分Ａがある。したがって、従来では、巻線などの組立作業が煩雑となるなどの問題が出てくる。また、コイルに流れる電流などによる線間の磁界の干渉を生ずるなどの問題があった。
【００１０】
さらに、従来での問題点を説明するため、以上説明した画質補償装置を陰極線管に取付た状態を図７、図８に示す。図５の画質補償装置を取り付けたものを図７に、図６の画質補償装置を取り付けたものを図８に示す。
図７（ａ）、図８（ａ）は、画質補償装置の端子取付部に回路基板を直接取り付け、金属端子から回路基板上の補正電流発生回路（図示せず）へ直接接続するタイプのものを示しており、図７（ｂ），図８（ｂ）は、接続されたリード線およびその先端のコネクタを介して回路基板上の補助偏向電流発生回路へ接続されるタイプのものを示してある。
【００１１】
図７（ａ）、図８（ａ）に示す如く、端子取付部１２と４４に直接回路基板（補助偏向電流発生回路）２８を接続したものは、リード線が短くなるなどの利点はあるが、ＣＲＴドライブ回路の基板３７とは別に基板がもう一枚必要となるばかりでなく、受像管周辺にこの基板２８の実装部を設けなければならないため、テレビジョン受像機内部の場所を必要以上に大きくとってしまうなどの問題を生ずる。ひいては、テレビジョン受像機全体の大型化、あるいは筐体の設計などに多大な制約を与える結果となってしまう。
したがって、リード線が短くはなるものの現在ではこのタイプはほとんど使用されておらず、これに代わって図７（ｂ）、図８（ｂ）に示すタイプのものを使用するのが一般的となっている。
【００１２】
このタイプの場合、補正電流発生回路はＣＲＴドライブ基板３７内にＣＲＴドライブ回路と同一に組み込まれており、リード線３０およびその先端のコネクタ３２を介してＣＲＴドライブ基板３７上の補助偏向電流発生回路へ接続されている。したがって、基板を別に用意する必要がなくなり、この点においては図７  （ａ）、図８（ａ）のタイプの装置で起きた問題を解消できる。しかしながら、ここで新たに問題となるのは、補助電流発生回路からコイルまでのリード線の長さｌである。すなわち、補助偏向電流発生回路からの出力信号である補助偏向電流は映像信号を微分して作成した信号であるため、信号の帯域としては非常に広帯域な信号となる。したがって、このような信号を原信号のまま、コイルへ供給する場合には、リード線の長さｌを非常に短くすることが必要となる。つまり、リード線ｌが長くなると、信号波形が乱れ、速度変調の性能が落ちるという問題が出てくるのである。なお、陰極線管には符号３６を、偏向コイルには符号３４を、画質補償装置には符号２６、６８を付してある。
【００１３】
【発明が解決しようとする課題】
上記の如く、従来例１では、カラーテレビ内部の構造を複雑化し大型化するなどの問題があった。
【００１４】
従来例２では、別基板を設ける必要がないものの、リード線が長くなり、直流抵抗損失が増え、性能が落ちるという問題があった。
【００１５】
また、いずれの従来例にしても、速度変調コイルの巻線部に交叉する部分が出てくるため、組立が煩雑となるばかりでなく、電磁干渉の影響を無視できなくなるなどの問題があった。
【００１６】
そこで、本発明は上記の問題に鑑み、交叉する部分を無くすとともにリード線を短くし、輪郭部分の強調性能をあげるとともに小型化を図れる画質補償装置を提供することにある。
【００１７】
【課題を解決するための手段】
本発明は、インライン方式の陰極線管のネック部外周に取付けられる速度変調用コイルとコンバージェンスマグネットとから成る画質調整装置であって、前記陰極線管のネック部外周に取り付けられる円筒部と、この円筒部に取り付けられた速度変調用コイルと、前記円筒部の外周に取り付けられたコンバージェンスマグネットと、前記陰極線管のネック部の後端部に設けられ、前記陰極線管を駆動するための回路及び前記速度変調用コイルに補助偏向電流を供給するための回路が形成された回路基板と、前記コンバージェンスマグネットが取付けられた位置よりも前記回路基板に近い前記ネック部の後端部側の位置に設けられ、前記速度変調用コイルが前記速度変調用コイルに補助偏向電流を供給するための回路に接続される端子部とを備え、前記陰極線管のネック部の後端部に、前記陰極線管を駆動する回路及び前記速度変調用コイルに補助偏向電流を供給するための回路を形成した回路基板が取り付けられ、前記回路基板と前記端子部とがリード線で接続され、前記速度変調用コイルに補助偏向電流を供給するための回路から前記速度変調用コイルに補助偏向電流を供給するための前記リード線の長さを短くできるようにしたこと特徴とする。
【００１８】
本発明では、速度変調用コイルを取り付ける円筒部における前記コンバージェンスマグネットが取付けられた位置よりも前記ネック部の後端部側に端子部を設けたため、受像管駆動用の回路基板との接続部を短くでき、輪郭補償特性を向上することができる。
【００１９】
【発明の実施の形態】
実施の形態について図面を参照して説明する。
図１は、本発明の形態である画質補償装置の例である。図１（ａ）は正面図、図１（ｂ）は側面図である。なお、図１（ｂ）において左側部分が陰極線管のネック側へ、右側部分が偏向ヨーク（ＤＹ）側になるように図示してある。上側は、下側は、コイルの巻き付け部分を説明するために記したものであり、絶対的な位置関係を示すものではない。なお、図中Ｂで示す部分に端子は取付可能である。
【００２０】
図１において、７０は円筒部であり、また、図１には矩形コイルの巻き付け用の巻き付け部および支持部７１、７７を示してある。また、本願の特徴部分である端子の取付位置がわかるように、端子部７４を示してある。図中、斜線で示した部分がコイルの部分である。
【００２１】
端子部７４を円筒部後端７２に設け、回路基板との接続リードを短くできるようにしたものである。なお、端子部の縁部には、半田メッキ硬銅線より成る角型端子７５、７６が固定されており、端子７５が−側端子を、端子７６が＋側端子を構成するものとする。
また、もう一つの問題であった交叉部については、これを図２に示すような巻き付けを行い、無くした。図２は巻き付けの順序を示した図である。
【００２２】
図２に沿って説明する。
端子７６から線を引き出し、これを巻き付け部７１に巻き付け、下側コイルをまず形成する。図２（ａ）は４隅の巻き付け部７１に線８０を巻き付け、矩形型コイルを形成した場合の図であり、下側コイルに関しては図の矢印に示す順序で巻き付けている。さらに上方の巻き線部７７へ巻線８２を施し、他方の端子７５に引き出し部を接続して速度変調コイルを構成している。
なお、従来との違いを分かりやすくするため、図２（ｂ）に交叉部Ａを示してある。
以上、図１および図２で説明した速度変調コイルの円筒外周にマグネットアッセンブリを嵌装し、組み立てた画質補償装置を図３に示す。
【００２３】
図３（ａ）は正面図であり、図３（ｂ）は側面図である。なお、図３（ａ）において、左側部分がネック側、右側部分が偏向ヨーク（ＤＹ）側になるように図示してある。なお、図３（ａ）、（ｂ）は端子の取り付け位置の一例であり、図１（ａ）の点線Ｂで示す範囲であれば、端子部７４はどこにつけても構わない。
【００２４】
コンバージェンスマグネット９０は、ピュリティ調整用の２枚１組の２極コンバージェンスマグネット９１とサイドビーム調整用の２枚１組の４極コンバージェンスマグネット９２と、同じくサイドビーム調整用２枚１組の６極コンバージェンス９３とから成っている。２極コンバージェンスマグネット９１と４極コンバージェンスマグネット９２との間には共回り防止用のリング９４を設けてあり、４極コンバージェンスマグネット９２と６極コンバージェンスマグネット９３との間には、共回り防止とコンバージェンスマグネット９２、９３へ回転トルクを与えるため、弾性力を持たせたスプリング状のリング９５を設けてある。さらに、各マグネット９０を確実に固定するため、バンド９６を設け、これを締付ネジ９７にて締め付け、陰極線管のネック部に固定している。
【００２５】
この画質補償装置を嵌挿し、取り付けたものを図４に示す。
図４は、金属端子に接続されたリード線３０およびその先端部に設けられたコネクタ３２を介して回路基板３７上の補助偏向電流発生回路（図示せず）へ速度変調コイルを接続した例である。
【００２６】
本発明の画質補償装置では、端子部７４が円筒部の軸方向においてコンバージェンスマグネット（速度変調コイル）９０の後ろ側、つまり偏向コイル３４と反対側のネック部の後端部側に位置しているので接続リード線３０を短くすることができる。また、等価的に補助偏向電流発生回路へコンバージェンスマグネット９０を近づけることが可能となり、性能をあげることが可能となった。
【００２７】
【発明の効果】
以上述べたように請求項１記載の本発明によれば、端子をネック後端部に設けたため、ＣＲＴ駆動回路などの基板へ短いリード線にて接続でき、直流の抵抗損失などを極力抑えることが可能となる。したがって、輪郭補償特性が向上し、信頼性が上がる。
【図面の簡単な説明】
【図１】本発明の発明の画質補償装置を示した図である。
【図２】図１の速度変調コイルの巻き線の巻き付け順序を示した図である。
【図３】図１の速度変調コイルにコンバージェンスマグネットを取り付けた場合の図である。
【図４】図３の画質補償装置を陰極線管に取り付けた状態を示す図である。
【図５】従来の画質補償装置を示した図である。
【図６】他の画質補償装置を示した図である。
【図７】図５の画質補償装置を陰極線管に取り付けた状態を示した図である。
【図８】図６の画質補償装置を陰極線管に取り付けた状態を示した図である。
【符号の説明】
３０…リード線
３６…陰極線管
３８…ネック
７０…ホルダ
７１、７７…巻き付け部
７４…端子
ｌ…リード線長
【図１】
0003767931.tif 000002
【図２】
0003767931.tif 000003
【図３】
0003767931.tif 000004
【図４】
0003767931.tif 000005
【図５】
0003767931.tif 000006
【図６】
0003767931.tif 000007
【図７】
0003767931.tif 000008
【図８】
0003767931.tif 000009